(57)【要約】【課題】  第１の紙片に付与された情報の改竄の防止及び隠蔽を可能としながらも、第１の紙片と第２の紙片とが剥離された後、これらを再度貼着する。【解決手段】  情報記入領域１１が設けられた本体片１０に連接する隠蔽片２０の、本体片１０に貼着された場合に情報記入領域１１と対向する領域に、互いに剥離可能かつ再貼着が不可能に貼着され、該貼着面とは反対側の面に剥離不可能な粘着剤２３ａ，２３ｂがそれぞれ塗布された２枚の透明フィルム２２ａ，２２ｂからなる接着構造２１を設けるとともに、本体片１０と連接していない周縁部に剥離及び再貼着が可能な粘着剤４０を塗布する。【選択図】図１
2006168272.tif 000002
【特許請求の範囲】
【請求項１】
一方の面に情報が付与される第１の紙片と、該第１の紙片の前記情報が付与された面に貼着されることにより前記情報を隠蔽する第２の紙片とを有してなる情報隠蔽シートであって、
前記第２の紙片は、前記第１の紙片に貼着された場合に少なくとも前記情報と対向する領域に、互いに剥離可能かつ再貼着が不可能に貼着され、該貼着面とは反対側の面に剥離不可能な粘着剤がそれぞれ塗布された透明な２枚のシート基材からなる接着構造が設けられ、
前記第１の紙片と前記第２の紙片とのいずれか一方は、少なくとも他方の紙片と連接していない周縁部に剥離及び再貼着が可能な粘着剤が塗布され、
前記第１の紙片と前記第２の紙片とが、前記剥離及び再貼着が可能な粘着剤と、前記接着構造とによって剥離可能に貼着される情報隠蔽シート。
【発明の詳細な説明】
【技術分野】
【０００１】
本発明は、紙片上の所定の領域に付与された情報を隠蔽することができる情報隠蔽シートに関する。
【背景技術】
【０００２】
従来より、情報を記入するための情報記入領域が設けられたはがきにおいて、情報記入領域に情報を記入した後に、この情報記入領域上に隠蔽片を剥離可能に貼着し、それにより、情報記入領域に記入された情報を隠蔽可能とするものが考えられている。このようなはがきの構造としては、例えば、隠蔽片の一方の面に、層間が剥離可能に重合した透明な接合材の両面に透明な粘着剤が塗布されてなる介在シートを貼付しておき、この介在シートによって情報記入領域上に隠蔽片を剥離可能に貼着する技術が考えられている（例えば、特許文献１参照。）。このはがきを用いて情報を伝達する場合は、はがきの送付先に伝達したい情報を情報記入領域に記入した後、情報記入領域上に介在シートを介して隠蔽片を剥離可能に貼着し、その状態ではがきを送付先に送付する。これにより、はがきの送付途中においては、情報記入領域に記入された情報は隠蔽片によって覆われており、外部から見られてしまうことはない。また、このはがきが送付先に送付された後、はがきの送付先において隠蔽片を剥離すると、接合材の層間が剥離し、情報記入領域に記入された情報が接合材の一方の層を介して視認可能となり、それにより、情報記入領域に記入された情報がはがきの送付元から送付先に伝達されることになる。また、このように、層間が剥離可能に重合した透明な接合材の両面に透明な粘着剤が塗布されてなる介在シートを用いた場合、隠蔽片が剥離された状態においては、情報記入領域上に接合材の一方の層が残存しているため、隠蔽片が剥離された後、情報記入領域に記入された情報が改竄されてしまうことを防止することができる。
【特許文献１】特開平１０−２６４５５９号公報
【発明の開示】
【発明が解決しようとする課題】
【０００３】
しかしながら、上述したように、隠蔽片の一方の面に、層間が剥離可能に重合した透明な接合材の両面に透明な粘着剤が塗布されてなる介在シートを貼付しておき、この介在シートによって情報記入領域上に隠蔽片を剥離可能に貼着するものにおいては、隠蔽片が剥離された後、情報記入領域に記入された情報が改竄されてしまうことを防止することができるものの、情報記入領域上に隠蔽片を再度貼着することができないという問題点がある。
【０００４】
本発明は、上述したような従来の技術が有する問題点に鑑みてなされたものであって、第１の紙片に付与された情報の改竄の防止及び隠蔽を可能としながらも、第１の紙片と第２の紙片とが剥離された後、これらを再度貼着することができる情報隠蔽シートを提供することを目的とする。
【課題を解決するための手段】
【０００５】
上記目的を達成するために本発明は、
一方の面に情報が付与される第１の紙片と、該第１の紙片の前記情報が付与された面に貼着されることにより前記情報を隠蔽する第２の紙片とを有してなる情報隠蔽シートであって、
前記第２の紙片は、前記第１の紙片に貼着された場合に少なくとも前記情報と対向する領域に、互いに剥離可能かつ再貼着が不可能に貼着され、該貼着面とは反対側の面に剥離不可能な粘着剤がそれぞれ塗布された透明な２枚のシート基材からなる接着構造が設けられ、
前記第１の紙片と前記第２の紙片とのいずれか一方は、少なくとも他方の紙片と連接していない周縁部に剥離及び再貼着が可能な粘着剤が塗布され、
前記第１の紙片と前記第２の紙片とが、前記剥離及び再貼着が可能な粘着剤と、前記接着構造とによって剥離可能に貼着される。
【０００６】
上記のように構成された本発明においては、第１の紙片に情報が付与された後、第２の紙片に設けられた接着構造と、第１の紙片と第２の紙片とのいずれか一方に塗布された剥離及び再貼着が可能な粘着剤とによって、第１の紙片と第２の紙片とを貼着すると、その状態においては、第１の紙片に付与された情報は、第２の紙片によって覆われているため外部から視認不可能となっている。その後、第１の紙片に付与された情報を見るために第１の紙片と第２の紙片とを剥離すると、接着構造を構成する透明な２枚のシート基材が剥離し、それにより、第１の紙片に付与された情報が接着構造を構成する１枚のシート基材によって覆われた状態で第１の紙片と第２の紙片とが剥離する。そのため、第１の紙片と第２の紙片とを剥離した後に、第１の紙片に付与された情報が改竄されることはない。さらにその後、第１の紙片と第２の紙片とは、第１の紙片と第２の紙片とのいずれか一方に塗布された剥離及び再貼着が可能な粘着剤によって再度貼着することができる。
【０００７】
また、前記第１の紙片と前記第２の紙片とが、折り部を介して折り畳み可能に連接している構成とすることも考えられる。
【発明の効果】
【０００８】
以上説明したように本発明においては、第１の紙片と第２の紙片とが貼着された状態では第１の紙片に付与された情報が第２の紙片によって隠蔽され、また、貼着された第１の紙片と第２の紙片とが剥離された状態では、第１の紙片に付与された情報が第２の紙片に設けられた接着構造を構成する透明な１枚のシート基材によって覆われ、また、その後、第１の紙片と第２の紙片とが、第１の紙片と第２の紙片とのいずれか一方に塗布された剥離及び再貼着が可能な粘着剤によって再度貼着可能となるため、第１の紙片に付与された情報の改竄の防止及び隠蔽を可能としながらも、第１の紙片と第２の紙片とが剥離された後、これらを再度貼着することができる。
【発明を実施するための最良の形態】
【０００９】
以下に、本発明の実施の形態について図面を参照して説明する。
【００１０】
（第１の実施の形態）
図１は、本発明の情報隠蔽シートの第１の実施の形態を示す図であり、（ａ）は表面から見た図、（ｂ）は（ａ）に示したＡ−Ａ’断面図である。
【００１１】
本形態は図１に示すように、情報記入領域１１が設けられた第１の紙片となる本体片１０と、折り部となる折り線３０を介して本体片１０に折り畳み可能に連接し、本体片１０に貼着されることにより、情報記入領域１１に記入された情報を隠蔽するための第２の紙片となる隠蔽片２０とから構成されている。本体片１０は、ベース基材５０の折り線３０を介して折り畳まれた場合に隠蔽片２０と対向する面の一部に、情報を記入するための情報記入領域１１が設けられている。また、隠蔽片２０は、ベース基材５０の折り線３０を介して折り畳まれた場合に本体片１０と対向する面のうち、本体片１０と連接していない周縁部に、剥離及び再貼着が可能な粘着剤４０が塗布されているとともに、粘着剤４０が塗布されていない領域に、本体片１０と隠蔽片２０とを剥離可能に貼着するための接着構造２１が設けられている。この接着構造２１は、ベース基材５０の折り線３０を介して折り畳まれた場合に隠蔽片２０の本体片１０と対向する面上に、接着力が強い透明な粘着剤２３ｂによってポリエチレンやポリエステル等の合成樹脂からなるシート基材となる透明フィルム２２ｂが剥離不可能に接着され、この透明フィルム２２ｂ上には、同じくポリエチレンやポリエステル等の合成樹脂からなるシート基材となる透明フィルム２２ａが、接着力が弱い粘着剤２４によって剥離可能に接着され、さらに透明フィルム２２ａ上には、接着力が強く剥離不可能な粘着剤２３ａが塗布されて構成されている。そして、粘着剤２３ａは剥離紙２５によって被覆されている。なお、折り線３０においては、ベース基材５０上にハーフカットや版押し等によって形成することが考えられ、また、折り部として折り線３０ではなくベース基材５０上にミシン目を形成してもよい。また、情報記入領域１１は、本体片１０と隠蔽片２０とが折り線３０を介して折り畳まれた場合に粘着剤４０によって貼着されない領域に設けられている。また、隠蔽片２０の本体片１０と連接する領域に粘着剤４０を塗布してもよい。また、上述した情報隠蔽シート１が使用前にて見開き状態で保管される場合は、粘着剤４０にも剥離紙が貼着される構成となる。
【００１２】
以下に、上記のように構成された情報隠蔽シート１の使用方法について説明する。
【００１３】
まず、本体片１０に設けられた情報記入領域１１に、隠蔽すべき情報を印字あるいは記入した後、隠蔽片２０上に設けられた接着構造２１から剥離紙２５を剥離し、本体片１０と隠蔽片２０とを、情報記入領域１１が内面となるように折り線３０を介して折り畳み、隠蔽片２０の周縁部に塗布された粘着剤４０、並びに隠蔽片２０上に設けられた接着構造２１によって互いに貼着する。このように情報記入領域１１に情報を記入することにより、本体片１０の一方の面に情報を付与することになる。
【００１４】
図２は、図１に示した本体片１０と隠蔽片２０とが貼着された状態を示す図であり、（ａ）は隠蔽片２０側から見た図、（ｂ）は（ａ）に示したＡ−Ａ’断面図である。
【００１５】
図２に示すように、情報隠蔽シート１の本体片１０と隠蔽片２０とが貼着された状態においては、情報記入領域１１に記入あるいは印字された情報は、隠蔽片２０によって覆われているため、外部から視認不可能となっている。この状態で、情報記入領域１１に記入あるいは印字された情報の伝達先に、この情報隠蔽シート１を送付することになる。そのため、情報隠蔽シート１の送付途中において、情報記入領域１１に記入された情報が見られてしまうことはない。
【００１６】
その後、この情報隠蔽シート１が送付先にて受け取られ、情報隠蔽シート１の送付先において、本体片１０から隠蔽片２０を剥離していくことになる。
【００１７】
図３は、図１に示した本体片１０と隠蔽片２０とが貼着された後に剥離された状態を示す図であり、（ａ）は貼着されていた面を示す図であり、（ｂ）は（ａ）に示したＡ−Ａ’断面図である。
【００１８】
本体片１０から隠蔽片２０を剥離していくと、図３に示すように、透明フィルム２２ａと透明フィルム２２ｂとが粘着剤２４を介して剥離し、透明フィルム２２ａが粘着剤２３ａによって本体片１０に残り、また、透明フィルム２２ｂが粘着剤２３ｂによって隠蔽片２０とともに本体片１０から剥離される。この際、粘着剤２３ａ及び透明フィルム２２ａが透明な材料から構成されているため、情報記入領域１１に印字あるいは記入された情報１２が粘着剤２３ａ及び透明フィルム２２ａを介して視認可能になる。また、情報記入領域１１に印字された情報が、バーコード等の機械読み取り可能なものであった場合においても、その情報は、粘着剤２３ａ及び透明フィルム２２ａを介して読み取り可能となる。
【００１９】
これにより、情報隠蔽シート１の送付先に、情報記入領域１１に記入された情報１２を通知することができる。
【００２０】
また、この際、情報記入領域１１が粘着剤２３ａ及び透明フィルム２２ａによって覆われているため、情報記入領域１１に記入された情報１２が改竄されてしまうことを防止することができる。
【００２１】
その後、本体片１０と隠蔽片２０とを、情報記入領域１１が内面となるように折り線３０を介して折り畳めば、隠蔽片２０の周縁部に塗布された粘着剤４０によって本体片１０と隠蔽片２０とを再貼着することができる。なお、この際、接着構造２１が透明フィルム２２ａ，２２ｂ間で剥離して表出した粘着剤２４は再貼着が不可能なものであるため、接着構造２１によっては本体片１０と隠蔽片２０とが接着されない。
【００２２】
なお、本形態においては、隠蔽片２０について、ベース基材５０の折り線３０を介して折り畳まれた場合に本体片１０と対向する面のうち、粘着剤４０が塗布されていない領域に、本体片１０と隠蔽片２０とを剥離可能に貼着するための接着構造２１が設けられているが、ベース基材５０の折り線３０を介して折り畳まれた場合に少なくとも情報記入領域１１に対向する領域に接着構造２１が設けられていればよい。
【００２３】
また、本形態においては、本体片１０に情報記入領域１１を設け、この情報記入領域１１に、情報隠蔽シート１の送付先に伝達したい情報を印字あるいは記入するものについて説明したが、近年においては、運転免許証や健康保険証等のコピーを本人を証明する証明書として申込書等に貼付する場合がある。以下に、そのような場合に適用可能な形態について説明する。
【００２４】
（第２の実施の形態）
図４は、本発明の情報隠蔽シートの第２の実施の形態を示す図であり、（ａ）は表面から見た図、（ｂ）は（ａ）に示したＡ−Ａ’断面図である。
【００２５】
本形態は図４に示すように、証明書貼付領域１１１が設けられた第１の紙片となる本体片１１０と、折り部となる折り線１３０を介して本体片１１０に折り畳み可能に連接し、本体片１１０に貼着されることにより、証明書貼付領域１１１に貼付された証明書に記載された情報を隠蔽するための第２の紙片となる隠蔽片１２０とから構成されている。本体片１１０は、ベース基材１５０の折り線１３０を介して折り畳まれた場合に隠蔽片１２０と対向する面の一部に、情報が記載された証明書を貼付するための証明書貼付領域１１１が設けられている。また、隠蔽片１２０は、ベース基材１５０の折り線１３０を介して折り畳まれた場合に本体片１１０と対向する面のうち、証明書貼付領域１１１に対向する領域に、本体片１１０と隠蔽片１２０とを剥離可能に貼着するための接着構造１２１が設けられているとともに、接着構造１２１の周辺部から本体片１１０と連接していない周縁部に渡って、剥離及び再貼着が可能な粘着剤１４０が塗布されている。この接着構造１２１は、ベース基材１５０の折り線１３０を介して折り畳まれた場合に隠蔽片１２０の本体片１１０と対向する面上に、接着力が強い透明な粘着剤１２３ｂによってポリエチレンやポリエステル等の合成樹脂からなるシート基材となる透明フィルム１２２ｂが剥離不可能に接着され、この透明フィルム１２２ｂ上には、同じくポリエチレンやポリエステル等の合成樹脂からなるシート基材となる透明フィルム１２２ａが、接着力が弱い粘着剤１２４によって剥離可能に接着され、さらに透明フィルム１２２ａ上には、接着力が強く剥離不可能な粘着剤１２３ａが塗布されて構成されている。そして、粘着剤１２３ａは剥離紙１２５によって被覆されている。なお、折り線１３０においては、ベース基材１５０上にハーフカットや版押し等によって形成することが考えられ、また、折り部として折り線１３０ではなくベース基材１５０上にミシン目を形成してもよい。また、証明書貼付領域１１１は、本体片１１０と隠蔽片１２０とが折り線１３０を介して折り畳まれた場合に、粘着剤１４０によって貼着されない領域に設けられている。また、隠蔽片１２０の接着構造１２１の周辺部から本体片１１０と連接していない周縁部に渡って粘着剤１４０を塗布するのではなく、隠蔽片１２０の本体片１１０と連接していない周縁部のみに粘着剤１４０を塗布する構造とすることも考えられる。また、上述した情報隠蔽シート１０１が使用前にて見開き状態で保管される場合は、粘着剤１４０にも剥離紙が貼着される構成となる。
【００２６】
以下に、上記のように構成された情報隠蔽シート１０１の使用方法について説明する。
【００２７】
まず、本体片１１０に設けられた証明書貼付領域１１１に、運転免許証や健康保険証のコピー等といった、本人であることや要求された事項を証明する情報が記載された証明書を載置した後、隠蔽片１２０上に設けられた接着構造１２１から剥離紙１２５を剥離し、本体片１１０と隠蔽片１２０とを、証明書貼付領域１１１が内面となるように折り線１３０を介して折り畳み、隠蔽片１２０に塗布された粘着剤１４０、並びに隠蔽片１２０上に設けられた接着構造１２１によって互いに貼着する。これにより、証明書貼付領域１１１に証明書が貼付されることになる。このように証明書貼付領域１１１に、情報が記載された証明書を貼付することにより、本体片１１０の一方の面に情報を付与することになる。
【００２８】
図５は、図４に示した本体片１１０と隠蔽片１２０とが貼着された状態を示す図であり、（ａ）は隠蔽片１２０側から見た図、（ｂ）は（ａ）に示したＡ−Ａ’断面図である。
【００２９】
図５に示すように、情報隠蔽シート１０１の本体片１１０と隠蔽片１２０とが貼着された状態においては、証明書貼付領域１１１に貼付された証明書に記載された情報は、隠蔽片１２０によって覆われているため、外部から視認不可能となっている。この状態で情報隠蔽シート１０１を送付先に送付することになる。そのため、情報隠蔽シート１０１の送付途中において、証明書貼付領域１１１に貼付された証明書に記載された情報が見られてしまうことはない。
【００３０】
その後、この情報隠蔽シート１０１が送付先にて受け取られ、情報隠蔽シート１０１の送付先において、本体片１１０から隠蔽片１２０を剥離していくことになる。
【００３１】
図６は、図４に示した本体片１１０と隠蔽片１２０とが貼着された後に剥離された状態を示す図であり、（ａ）は貼着されていた面を示す図であり、（ｂ）は（ａ）に示したＡ−Ａ’断面図である。
【００３２】
本体片１１０から隠蔽片１２０を剥離していくと、図６に示すように、透明フィルム１２２ａと透明フィルム１２２ｂとが粘着剤１２４を介して剥離し、透明フィルム１２２ａが粘着剤１２３ａによって本体片１１０に残り、また、透明フィルム１２２ｂが粘着剤１２３ｂによって隠蔽片１２０とともに本体片１１０から剥離される。この際、粘着剤１２３ａ及び透明フィルム１２２ａが透明な材料から構成されているため、証明書貼付領域１１１に貼付された証明書１６０に記載された情報１６１が粘着剤１２３ａ及び透明フィルム１２２ａを介して視認可能になる。また、証明書貼付領域１１１に貼付された証明書１６０には、バーコード等の機械読み取り可能な情報が印刷されている場合があるが、その場合においても、その情報は、粘着剤１２３ａ及び透明フィルム１２２ａを介して読み取ることができる。
【００３３】
これにより、情報隠蔽シート１０１の送付先に、証明書貼付領域１１１に貼付された証明書１６０に記載された情報１６１を通知することができる。
【００３４】
また、この際、証明書貼付領域１１１に貼付された証明書１６０が粘着剤１２３ａ及び透明フィルム１２２ａによって覆われているため、証明書貼付領域１１１に貼付された証明書１６０に記載された情報１６１が改竄されてしまうことを防止することができ、また、証明書１６０が証明書貼付領域１１１から脱落してしまうことを防止することができる。
【００３５】
その後、本体片１１０と隠蔽片１２０とを、証明書貼付領域１１１が内面となるように折り線１３０を介して折り畳めば、隠蔽片１２０に塗布された粘着剤１４０によって本体片１１０と隠蔽片１２０とを再度貼着することができる。なお、この際、接着構造１２１が透明フィルム１２２ａ，１２２ｂ間で剥離して表出した粘着剤１２４は再貼着が不可能なものであるため、接着構造１２１によっては本体片１１０と隠蔽片１２０とが接着されない。
【００３６】
なお、上述した２つの実施の形態においては、隠蔽片２０，１２０に設けられた接着構造２１，１２１を、２枚の透明フィルム２２ａ，２２ｂ，１２２ａ，１２２ｂが粘着剤２４，１２４によって剥離可能に接着された構成としているが、２枚の透明フィルムを、不完全な溶着によって接着することにより剥離可能な構成とすることも考えられる。
【００３７】
また、上述した２つの実施の形態においては、隠蔽片２０，１２０の本体片１０，１１０と連接していない周縁部に、剥離及び再貼着が可能な粘着剤４０，１４０が塗布されているが、この粘着剤４０，１４０は、隠蔽片２０，１２０ではなく、本体片１０，１１０の隠蔽片２０，１２０と連接していない周縁部に塗布されていてもよい。
【００３８】
また、上述した２つの実施の形態においては、粘着剤４０，１４０と接着構造２１，１２１との間に隙間が形成されているが、本体片１０，１１０と隠蔽片２０，１２０との接着性を向上させるために、粘着剤４０，１４０と接着構造２１，１２１との間に隙間が形成されないように隠蔽片２０，１２０上に粘着剤４０，１４０を塗布することも考えられる。
【００３９】
また、上述した２つの実施の形態においては、本体片１０，１１０と隠蔽片２０，１２０とが折り線３０，１３０を介して連接しているが、本体片と隠蔽片とが別体として構成されたものとすることも考えられる。その場合、本体片１０，１１０と隠蔽片２０，１２０とが連接していないため、本体片１０，１１０と隠蔽片２０，１２０とのいずれか一方の周縁部に、剥離及び再貼着が可能な粘着剤４０，１４０を塗布することになる。
【００４０】
また、上述した２つの実施の形態にて示したものを組み合わせ、上述した情報記入領域と証明書貼付領域とを本体片に設けるとともに、隠蔽片のうち、折り線を介して折り畳まれた場合にこれらに対向する領域に接着構造を設けることも考えられる。その場合、本体片と隠蔽片とを貼着した後に剥離した場合に、情報記入領域に印字あるいは記入された情報と、証明書貼付領域に貼付された証明書に記載された情報とが改竄されてしまうことを防止することができる。
【図面の簡単な説明】
【００４１】
【図１】本発明の情報隠蔽シートの第１の実施の形態を示す図であり、（ａ）は表面から見た図、（ｂ）は（ａ）に示したＡ−Ａ’断面図である。
【図２】図１に示した本体片と隠蔽片とが貼着された状態を示す図であり、（ａ）は隠蔽片側から見た図、（ｂ）は（ａ）に示したＡ−Ａ’断面図である。
【図３】図１に示した本体片と隠蔽片とが貼着された後に剥離された状態を示す図であり、（ａ）は貼着されていた面を示す図であり、（ｂ）は（ａ）に示したＡ−Ａ’断面図である。
【図４】本発明の情報隠蔽シートの第２の実施の形態を示す図であり、（ａ）は表面から見た図、（ｂ）は（ａ）に示したＡ−Ａ’断面図である。
【図５】図４に示した本体片と隠蔽片とが貼着された状態を示す図であり、（ａ）は隠蔽片側から見た図、（ｂ）は（ａ）に示したＡ−Ａ’断面図である。
【図６】図４に示した本体片と隠蔽片とが貼着された後に剥離された状態を示す図であり、（ａ）は貼着されていた面を示す図であり、（ｂ）は（ａ）に示したＡ−Ａ’断面図である。
【符号の説明】
【００４２】
１，１０１    情報隠蔽シート
１０，１１０    本体片
１１    情報記入領域
１２，１６１    情報
２０，１２０    隠蔽片
２１，１２１    接着構造
２２ａ，２２ｂ，１２２ａ，１２２ｂ    透明フィルム
２３ａ，２３ｂ，２４，４０，１２３ａ，１２３ｂ，１２４，１４０    粘着剤
２５，１２５    剥離紙
３０，１３０    折り線
５０，１５０    ベース基材
１１１    証明書貼付領域
１６０    証明書                                                                                
【図１】
2006168272.tif 000003
【図２】
2006168272.tif 000004
【図３】
2006168272.tif 000005
【図４】
2006168272.tif 000006
【図５】
2006168272.tif 000007
【図６】
2006168272.tif 000008